(57)【要約】  本発明のロック可能なロッカースイッチ（１）は、固定部分（２）；第１の回動位置と第２の回動位置との間で回動する回動部分（６）；前記回動部分（６）の回動を防止する少なくとも一つのロック位置と前記回動部分（６）が回動できるようにする一つの解放位置との間で回動できる磁気的に作動可能なロック要素（８）；を含む。前記ロック可能名ロッカースイッチ（１）はさらに、前記ロック要素（８）を前記解放位置に付勢する磁気作用を発生させる制御位置と前記磁気作用の発生を停止させる休止位置との間で前記回動部分上で可動な制御要素（１０）を含んでいる。【選択図】図１
2016538701.tif 000002
【特許請求の範囲】
【請求項１】
ロック可能なロッカースイッチ（１；１０１）であって、
−回動経路（４；１０４）を定める固定部分（２；１０２）；
−前記回動経路（４；１０４；３０４）に沿って、少なくとも第１の回動位置と第２の回動位置との間で回動軸（Ｘ６；Ｘ１０６）の回りに回動するように調整された回動部分（６；１０６）；
−磁気的に作動可能なロック要素（８；１０８）であり、
−前記ロック要素（８；１０８）が、前記回動経路（４；１０４）を横切って前記固定部分と前記回動部分の両方に係合して前記回動部分（６；１０６）の回動を防止する少なくとも一つのロック位置と、
−前記ロック要素（８；１０８）が前記回動経路（４；１０４）のそばに位置して、前記回動部分（６；１０６）が前記回動経路（４；１０４）内で回動できるようにする少なくとも一つの解放位置と、
の間で前記固定部分（２；１０２）に対し移動するように調整されたロック要素（８；１０８）；
を少なくとも含み、
前記ロック可能なロッカースイッチ（１；１０１）が、前記回動部分（６；１０６）に取り付けられると共に、少なくとも、
−前記ロック要素（８；１０８）を前記解放位置に付勢する磁気作用を制御要素（１０；１１０）が発生させる制御位置と、
−前記制御要素（１０；１１０）が前記磁気作用の発生を停止させる休止位置、
との間で前記回動部分（６；１０６）に対して移動可能な、前記制御要素（１０；１１０）を更に含んでいる、ロック可能なロッカースイッチ（１；１０１）。
【請求項２】
前記ロック要素（８）は前記解放位置において前記回動部分（６）内に完全に収容され、かつ前記ロック要素（８）は前記ロック位置において前記回動部分（６）から前記固定部分（２）内に部分的に突出する、請求項１に記載のロック可能なロッカースイッチ（１）。
【請求項３】
前記固定部分（２）は前記回動経路（４）と連通する少なくとも一つの開口（１２、１４）を定め、前記回動部分（６）は少なくとも一つの他の開口（３０）を定め、前記ロック要素（８）は前記解放位置において前記少なくとも一つの他の開口（３０）内に完全に収容され、かつ前記ロック要素（８）は前記ロック位置において前記回動部分（６）から前記固定部分（２）の前記少なくとも一つの開口（１２、１４）内に部分的に突出する、請求項２に記載のロック可能なロッカースイッチ（１）。
【請求項４】
前記固定部分（２）は前記第１の回動位置と前記第２の回動位置に対応する少なくとも２つの開口（１２、１４）を定める、請求項３に記載のロック可能なロッカースイッチ（１）。
【請求項５】
前記ロック要素（１０８）は前記解放位置において前記固定部分（１０２）内に完全に収容されるように調整され、かつ前記ロック要素（１０８）は前記ロック位置において前記固定部分（１０２）から前記回動部分（１０６）内に部分的に突出する、請求項１に記載のロック可能なロッカースイッチ（１０１）。
【請求項６】
前記回動部分（１０２）は前記回動経路（１０４）と連通する少なくとも一つのキャビティ（１１２、１１４）を定め、前記固定部分（１０２）は少なくとも一つの他のキャビティ（１３０）を定め、前記ロック要素（１０８）は前記解放位置において前記固定部分（１０２）に形成されている前記少なくとも一つの他のキャビティ（１３０）内に完全に収容され、かつ前記ロック要素（１０８）は前記ロック位置において前記固定部分（１０２）から前記回動部分（１０２）の前記少なくとも一つのキャビティ（１１２、１１４）内に部分的に突出する、請求項５に記載のロック可能なロッカースイッチ（１０１）。
【請求項７】
前記回動部分（１０２）は前記第１の回動位置と前記第２の回動位置に対応する少なくとも２つのキャビティ（１１２、１１４）を定める、請求項６に記載のロック可能なロッカースイッチ（１０１）。
【請求項８】
前記制御要素（１０；１１０）は、少なくとも前記制御位置と前記休止位置との間で手動により移動可能に設計される、請求項１乃至７のいずれかに記載のロック可能なロッカースイッチ（１；１０１）。
【請求項９】
前記制御要素（１０；１１０）を前記休止位置に向けて弾力的に付勢するように調整された少なくとも一つのばね（１６；１１６）を更に含む、請求項１乃至８のいずれかに記載のロック可能なロッカースイッチ（１；１０１）。
【請求項１０】
前記制御要素（１０；１１０）は平行移動で移動可能である、請求項１乃至９のいずれかに記載のロック可能なロッカースイッチ（１；１０１）。
【請求項１１】
前記回動部分（６；１０６）は実質的に平坦な部分（６．１０；１０６．１０）を有し、前記制御要素（１０；１１０）は、前記実質的に平坦な部分（６．１０；１０６．１１０）上で直線の平行移動軸（Ｙ１０；Ｙ１１０）に沿って移動可能である、請求項１０に記載のロック可能なロッカースイッチ（１；１０１）。
【請求項１２】
前記直線の平行移動軸（Ｙ１０；Ｙ１１０）は前記回動軸（Ｘ６；Ｘ１０６）に対し直交している、請求項１１に記載のロック可能なロッカースイッチ（１；１０１）。
【請求項１３】
前記回動部分（６；１０６）は実質的に円柱形状、好ましくは半円柱形状の部分（６．４；１０６．１０４）を含んでおり、前記回動経路（４；１０４）は、前記円柱状部分（６．４；１０６．１０４）を回動可能に支持するのに適した実質的に凹状の円柱表面を有している、請求項１乃至１２のいずれかに記載のロック可能なロッカースイッチ（１；１０１）。
【請求項１４】
前記実質的に凹状の円柱状の部分（４．６）は、前記固定部分（２）の各開口（１２、１４）の傍に配置されると共に各開口（１２、１４、２１２、２１４）に向かって次第に増加する角度あるいは曲率を有する、少なくとも一つの案内斜面（２１９．１、２１９．２）を定める、請求項１３、又は請求項３又は４のいずれかに記載のロック可能なロッカースイッチ。
【請求項１５】
前記実質的に円柱状の部分（１０４．１０６）は、前記回動部分（１０６）の各キャビティ（１１２、１１４）の傍に配置されると共に各キャビティ（１１２、１１４、２１２、２１４）に向かって次第に増加する角度あるいは曲率を有する、少なくとも一つの案内斜面（２１９．１、２１９．２）を定める、請求項１３、又は請求項６又は７のいずれかに記載のロック可能なロッカースイッチ。
【請求項１６】
前記回動部分（１０６）を前記第１の回動位置に向けて弾力的に付勢するように調整された、少なくとも一つのロッカーばね（１２０）を更に含む、請求項１乃至１５のいずれかに記載のロック可能なロッカースイッチ（１０１）。
【請求項１７】
前記ロック要素（８；１０８）を前記少なくとも一つのロック位置に移動させるのに適する弾力的な作用を及ぼすように設計された、弾力的な付勢要素（２２；１２２）を更に含み、前記弾力的な作用は前記磁気的な作用よりも弱い、請求項１乃至１６のいずれかに記載のロック可能なロッカースイッチ（１；１０１）。
【請求項１８】
前記ロック要素（８；１０８）は前記ロック軸（Ｚ８；Ｚ１０８）に沿って平行移動すると共に前記回動経路（４；１０４）を横切るように配置され、前記回動軸（Ｘ６；Ｘ１０６）は好ましくは前記回動軸（Ｚ６；Ｚ１０６）に対して垂直であり、かつ前記ロック要素（８；１０８）は好ましくは実質的に円柱形状のピンを含む、請求項１乃至１７のいずれかに記載のロック可能なロッカースイッチ（１；１０１）。
【請求項１９】
前記ロック要素（８）は金属材料、例えば合金鋼から作られた磁気ロック部品を含み、かつ前記制御要素（１０）は磁性材料、好ましくは永久磁石から作られた磁気制御部分を含み、前記制御要素（１０）は前記制御位置において前記ロック要素（８）上に前記磁気作用を及ぼす、請求項１乃至４のいずれかに記載のロック可能なロッカースイッチ（１）。
【請求項２０】
前記ロック可能なロッカースイッチ（１０１）は、電気的に励起されたときに前記ロック要素（１０８）上に前記磁気作用を及ぼす電磁ソレノイド（１２４）を更に含み、かつ前記ロック可能なロッカースイッチ（１０１）は、前記電磁ソレノイド（１２４）に接続されると共に少なくとも前記回動部分（１０６）内に延在して、前記制御要素（１１０）が前記制御位置にあるときに前記制御要素（１１０）と協働して前記電磁ソレノイド（１２４）を電気的に励起させるようになっている、制御回路（１２６）を更に含む、請求項１、５、６又は７に記載のロック可能なロッカースイッチ（１０１）。
【請求項２１】
前記電磁ソレノイド（１２４）は前記固定部分（１０２）内に収容され、前記制御回路（１２６）は前記回動経路（１０４）上にかつ前記固定部分（１０２）内に延在して前記電磁ソレノイド（１２４）と電気的に接触している、請求項２０に記載のロック可能なロッカースイッチ（１０１）。
【請求項２２】
前記電磁ソレノイド（１２４）は、例えば鉄系軟磁性材料といった強磁性体から成るコアを有している、請求項２１に記載のロック可能なロッカースイッチ（１０１）。
【請求項２３】
前記制御要素（１１０）は前記制御位置において前記制御回路（１２６）を閉じるように設計されている、請求項２０乃至２２のいずれかに記載のロック可能なロッカースイッチ（１０１）。
【請求項２４】
前記制御回路（１２６）は、前記制御要素（１１０）が前記制御位置にあるときに前記電磁ソレノイド（１２４）を励起させるために、前記制御要素（１１０）によって起動されて前記制御回路（１２６）を電気的に閉じるように前記回動部分（１０６）内に配置されたマイクロスイッチ（１２８）を含む、請求項２３に記載のロック可能なロッカースイッチ（１０１）。
【請求項２５】
前記回動部分は、前記第１の回動位置及び前記第２の回動位置を含む少なくとも３つの回動位置の間で、前記回動経路内で前記回動軸の回りに回動するように配置されている、請求項１乃至２４のいずれかに記載のロック可能なロッカースイッチ。
【請求項２６】
自動車の少なくとも一つの電気要素（５１）に電力を供給するための電気回路（５０）であって、前記電気回路（５０）は請求項１乃至２５のいずれかに記載したロック可能なロッカースイッチ（１；１０１）を含み、前記ロック可能なロッカースイッチ（１；１０１）は、前記回動部分（６；１０６）が前記第１の回動位置において前記電気回路（５０）内の電力供給を起動させ、かつ前記回動部分（６；１０６）が前記第２の回動位置において前記電気回路（５０）内の電力供給の起動を停止させるように配置されている、電気回路（５０）。
【請求項２７】
請求項１乃至２５のいずれかに記載のロック可能なロッカースイッチをアンロックするアンロック方法であって、前記アンロック方法は、
−５０１）前記制御要素（１０；１１０）を前記休止位置から前記制御位置に手動で移動させる段階；
−５０２）前記ロック要素（８；１０８）を前記固定部分（２；１０２）に対して前記少なくとも一つのロック位置から前記少なくとも一つの解放位置に移動させるべく、前記ロック要素（８；１０８）を磁気的に作動させる段階；及び、
−５０３）前記回動部分（６；１０６）を前記回動経路（４；１０４）に沿わせて少なくとも第１の回動位置と第２の回動位置との間で回動軸（Ｘ６；Ｘ１０６）の回りに回動させる段階、
を含む方法。
【請求項２８】
請求項１乃至２５のいずれかに記載のロック可能なロッカースイッチをロックするロック方法であって、前記ロック方法は、
−６０１）前記制御要素（１０；１１０）を前記制御位置から前記休止位置に移動させる段階；
−６０２）前記ロック要素（８；１０８）が前記少なくとも一つのロック位置に戻るようにする段階、
を含む方法。
【発明の詳細な説明】
【技術分野】
【０００１】
本発明はロック可能なロッカースイッチ、例えば自動車の一つあるいは複数の電気要素に電力を供給する電気回路に適しているロック可能なロッカースイッチに関する。更に本発明は、自動車の一つあるいは複数の電気要素に電力を供給するための電気回路に関する。また本発明は、そのようなロック可能なロッカースイッチをアンロックするアンロック方法、及びそのようなロック可能なロッカースイッチをロックするためのロック方法に関する。
【背景技術】
【０００２】
特許文献１は、固定部分と、第１及び第２の回動位置の間で固定部に対し回動できる回動可能部分と、それらの固定部分及び回動可能部分に係合して一体にロックし、かつそれとは反対にそれらを解放すべく可動な磁気ロックとを備えるロック装置を開示している。
【０００３】
特許文献１のロック可能なロッカースイッチの主な欠点は、その機能を実行するために多数の構成要素を必要とすることであり、そのことはこのロック装置をロックしかつアンロックするために極めて扱いにくくかつ面倒なものにしている。
【先行技術文献】
【特許文献】
【０００４】
【特許文献１】米国特許第５，６８５，１８３号明細書
【発明の概要】
【発明が解決しようとする課題】
【０００５】
従って、いくつかの観点から、特に車両の電気回路にとって、そのロック可能なロッカースイッチを改良する余地があるように見える。
【課題を解決するための手段】
【０００６】
本発明の目的は、コンパクトで、信頼でき、かつ取り扱いが容易なロック可能なロッカースイッチを提供することにある。
【０００７】
本発明の主題は、ロック可能なロッカースイッチであって、
−回動経路を定める固定部分；
−回動経路に沿って、少なくとも第１の回動位置と第２の回動位置との間で回動軸の回りに回動するように調整された回動部分；
−磁気的に作動可能なロック要素であり、そのロック要素が、
・回動経路を横切って固定部分と回動部分の両方に係合して回動部分の回動を防止する少なくとも一つのロック位置と、
・ロック要素が回動経路のそばに位置して、回動部分が回動経路内で回動できるようにする少なくとも一つの解放位置との間で、
固定部分に対し移動するように調整されたロック要素；
を少なくとも含み、そのロック可能なロッカースイッチが、
−回動部分に取り付けられると共に少なくともロック要素を解放位置に付勢する磁気作用を制御要素が発生させる制御位置と、
−制御要素が磁気作用の発生を停止させる休止位置、
との間で回動部分に対して移動可能な制御要素、を更に含んでいる、ロック可能なロッカースイッチである。
【０００８】
本願の全体にわたって「磁性材料」という表現は、予め定められた磁力の下で、付勢要素が及ぼす力よりも強い磁気的な結合を生じさせることができるあらゆる材料を意味する。従って、その予め定められた磁力は、あるいは弾力的な付勢要素が及ぼす付勢力に抗してロック要素を移動させることができる。磁性材料の実施例には、例えば、強磁性体を含めることができる。
【０００９】
従って、そのようなロック可能なロッカースイッチは、コンパクトで、信頼でき、取り扱うのが容易であり得る。それが必要とすることは、オペレータが回動部分を回動させあるいは揺動させると共に制御要素をスライドさせることだけであるからである。
【００１０】
一実施形態によると、ロック要素は解放位置において回動部分内に完全に収容され、かつロック要素はロック位置において回動部分から固定部分内に部分的に突出する。
【００１１】
従って、そのような回動部分内への収容は、ロック要素が迅速にかつ確実に回動経路を横切って突出できるようにする。
【００１２】
一実施形態によると、固定部分は回動経路と連通する少なくとも一つの開口を定め、回動部分は少なくとも一つの他の開口を定め、ロック要素は解放位置において少なくとも一つの他の開口内に完全に収容され、かつロック要素はロック位置において回動部分から固定部分の少なくとも一つの開口内に部分的に突出する。
【００１３】
従って、固定部分のそのような開口は、ロック要素を受け入れるために製造が容易である。
【００１４】
一実施形態によると、固定部分は第１の回動位置と第２の回動位置に対応する少なくとも２つの開口を定める。
【００１５】
従って、そのような開口は、少なくとも２つの異なる位置のロック要素を受け入れるために製造が容易である。
【００１６】
一実施形態によると、ロック要素は解放位置において固定部分内に完全に収容されるように配置され、かつロック要素はロック位置において固定部分から回動部分内に部分的に突出する。
【００１７】
従って、固定部分のそのような適応は、ロック要素が急速に回動経路を横切って外へ突出することを可能にし、急速に、そして、確実に、回動部分の旋回を止める。
【００１８】
一実施形態によると、回動部分は回動経路と連通する少なくとも一つのキャビティを定め、固定部分は少なくとも一つの他のキャビティを定め、ロック要素は解放位置において少なくとも一つの他の開口内に完全に収容され、かつロック要素はロック位置において固定部分から回動部分の少なくとも一つのキャビティ内に部分的に突出する。
【００１９】
従って、回動部分のそのようなキャビティは、ロック要素を受け入れるために製造が容易である。
【００２０】
一実施形態によると、回動部分は第１の回動位置と第２の回動位置に対応する少なくとも２つのキャビティを定める。
【００２１】
従って、そのようなキャビティは、少なくとも２つの異なる位置のロック要素を受け入れるために製造が容易である。
【００２２】
一実施形態によると、制御要素は、少なくとも制御位置と休止位置との間で手動により移動可能に設計される。
【００２３】
従って、そのような制御要素はオペレータが容易に取り扱うことができる。
【００２４】
一実施形態によると、制御要素を休止位置に向けて弾力的に付勢するように調整された少なくとも一つのばねを更に含む。
【００２５】
従って、そのようなばねは制御要素をその休止位置に自動的に戻し、従ってオペレータのこの段階の達成を容易にする。
【００２６】
一実施形態によると、制御要素は平行移動で移動可能である。
【００２７】
従って、そのようなスライドする制御要素は、製造、組み立て及び使用が容易である。
【００２８】
一実施形態によると、回動部分は実質的に平坦な部分を有し、制御要素はその実質的に平坦な部分上で直線の平行移動軸に沿って移動可能である。
【００２９】
従って、そのような平坦部分は、製造が容易で制御要素のスライドを容易にする。従って、この構造により、本発明のロック可能なロッカースイッチは、技術的な観点からは簡単でかつ極めて信頼できる。
【００３０】
一実施形態によると、直線の平行移動軸は回動軸に対して直交する。
【００３１】
従って、そのように直交する直線の平行移動軸は、製造及び使用が容易なロック可能なロッカースイッチの設計を助ける。
【００３２】
一実施形態によると、回動部分は実質的に円柱形状、好ましくは半円柱形状の部分を含んでおり、かつ回動経路は、円柱状部分を回動可能に支持するのに適した実質的に凹状の円柱表面を有する。
【００３３】
従って、そのような円柱状の部分及び表面は、回動部分にとって効果的な回動経路を定める。
【００３４】
一実施形態によると、実質的に凹状の円柱状表面は、固定部分の各開口の傍に配置されると共に固定部分の各開口に向かって次第に増加する角度あるいは曲率を有する、少なくとも一つの案内斜面を定める。
【００３５】
従って、そのような案内斜面はロック要素を固定部分の開口内に案内し、それはオペレータのロック位置への到達を助ける。
【００３６】
一実施形態によると、実質的に円柱状の部分は、回動部分の各キャビティの傍に配置されると共に回動部分の各キャビティに向かって次第に増加する角度あるいは曲率を有する、少なくとも一つの案内斜面を定める。
【００３７】
従って、そのような案内斜面はロック要素を固定部分のキャビティ内に案内し、それはオペレータのロック位置への到達を助ける。
【００３８】
一実施形態によると、ロック可能なロッカースイッチは、回動部分を第１の回動位置に向けて弾力的に付勢するように配置された少なくとも一つのロッカーばねを更に含む。
【００３９】
従って、そのようなロッカーばねは、回動部分をその第１の回動位置に自動的に戻すことができ、オペレータのこの段階の達成を容易にする。
【００４０】
一実施形態によると、ロック可能なロッカースイッチは、ロック要素を少なくとも一つのロック位置に移動させるのに適する弾力的な作用を及ぼすように設計された、弾力的な付勢要素を更に含み、その弾力的な作用は磁気的な作用よりも弱い。
【００４１】
従って、そのようなロッカーばねはロック要素をロック位置に自動的に戻すことができ、オペレータのこの段階の達成を容易にし、あるいはこの段階を達成するための特定のアクチュエータ若しくは設計の必要性を不要にする。
【００４２】
一実施形態によると、ロック要素はロック軸に沿って平行移動すると共に回動経路を横切るように配置され、ロック軸は好ましくは回動軸に対して垂直であり、かつロック要素は好ましくは実質的に円柱形状のピンを含む。
【００４３】
従って、そのようなスライドするロック要素は、製造が容易でありかつ組み立てが簡潔である。
【００４４】
一実施形態によると、ロック要素は金属材料、例えば合金鋼から作られた磁気ロック部品を含み、かつ制御要素は磁性材料、好ましくは永久磁石から作られた磁気制御部分を含み、制御要素は制御位置においてロック要素上に磁気作用を及ぼす。
【００４５】
従って、そのような材料は、制御要素及びロック要素に磁気的な作用を生じさせうる。
【００４６】
一実施形態によると、ロック可能なロッカースイッチは、電気的に励起されたときにロック要素上に磁気作用を及ぼす電磁ソレノイドを更に含む。この実施形態によると、ロック可能なロッカースイッチは、電磁ソレノイドに接続されると共に少なくとも回動部分内に延在する制御回路を更に含み、制御回路は、制御要素が制御位置にあるときに制御要素と協働して電磁ソレノイドを電気的に励起させるようになっている。制御要素が制御位置にあるときに、制御要素は制御回路が電磁ソレノイドを励起させることを可能にする。制御位置にある制御要素は起動し、従ってロック要素を解放位置に向けて付勢する磁気作用を生じさせる。
【００４７】
そのような電磁ソレノイドは制御回路と共に、ロック要素をロック位置に迅速にかつ確実に移動させることができる。
【００４８】
一実施形態によると、電磁ソレノイドは固定部分内に収容され、制御回路は回動経路上にかつ固定部分内に延在して電磁ソレノイドと電気的に接触する。
【００４９】
従って、電磁ソレノイド及び制御回路のそのような位置決めは、ロック可能なロッカースイッチを極めてコンパクトなものにする。
【００５０】
一実施形態によると、電磁ソレノイドは、例えば鉄、または軟鋼など鉄系軟磁性材料といった強磁性体から成るコアを有する。
【００５１】
従って、そのようなコアは効率的な電磁ソレノイドの製造を可能にする。
【００５２】
一実施形態によると、制御要素は制御位置において制御回路を閉じるように設計される。
【００５３】
従って、そのような設計は、ロック可能なロッカースイッチのロックを容易にする。
【００５４】
一実施形態によると、制御回路は、制御要素が制御位置にあるときに電磁ソレノイドを励起させるために、制御要素によって起動されて制御回路を電気的に閉じるように回動部分内に配置されたマイクロスイッチを含む。
【００５５】
従って、回動部分に配置されたそのようなマイクロスイッチは、コンパクトなロック可能なロッカースイッチを設計するために有利である。
【００５６】
一実施形態によると、回動部分は、第１の回動位置と第２の回動位置を含む少なくとも３つの回動位置の間で、回動軸の回りで回動経路内を回動するように配置される。
【００５７】
従って、３つあるいはより多くの回動位置により、そのようなロック可能なロッカースイッチは、例えば自動車のいくつかの電気回路の電力供給を引き起こすことができる。
【００５８】
また、本発明の主題は、自動車の少なくとも一つの電気要素に電力を供給するための電気回路であって、その電気回路は本発明によるロック可能なロッカースイッチを含み、ロック可能なロッカースイッチは、回動部分が第１の回動位置において電気回路内の電力供給を起動させ、かつ回動部分が第２の回動位置において電気回路内の電力供給の起動を停止させるように配置される。ロック可能なロッカースイッチは、例えば、イグニションロックあるいはＡＤＲスイッチロックである。ＡＤＲという略語は「危険貨物の道路による国際輸送に関する取り決め」を意味し、かつＡＤＲスイッチロックは、車両の電気回路からバッテリーを分離するために伝統的に用いられている安全スイッチである。
【００５９】
従って、そのような電気回路は、迅速にかつ確実に少なくとも一つの状態にロックすることができる。
【００６０】
本発明の他の主題は、前述したロック可能なロッカースイッチをアンロックするためのアンロック方法であって、そのアンロック方法は、
−制御要素を休止位置から制御位置に手動で移動させる段階；
−ロック要素を固定部分に対して少なくとも一つのロック位置から少なくとも一つの解放位置に移動させるべく、ロック要素を磁気的に作動させる段階；
−回動部分を回動経路に沿わせて少なくとも第１の回動位置と第２の回動位置との間で回動軸の回りに回動させる段階、
を含む。
【００６１】
従って、そのようなアンロック方法は、ロック可能なロッカースイッチをオペレータが確実にかつ容易にアンロックできるようにする。
【００６２】
本発明の更に他の主題は、前述したロック可能なロッカースイッチを係止するロック方法であって、そのロック方法は、
−制御要素を制御位置から休止位置に移動させる段階；及び、
−ロック要素が少なくとも一つのロック位置に戻るようにする段階、
を含む。
【００６３】
従って、そのようなロック方法は、ロック可能なロッカースイッチをオペレータが確実にかつ容易にロックできるようにする。
【００６４】
本発明のこれらの及び他の特徴及び利益は、添付された図面を考慮しつつ、本発明の主題の実施形態を非限定的な実施例として表す以下の説明を読むと、直ちに明らかとなる。
【図面の簡単な説明】
【００６５】
本発明のいくつかの実施形態の以下の詳細な説明は、添付図面と関連して読まれるとより良く理解される。しかしながら本発明はここに開示される特定の実施形態に限定されない。
【００６６】
【図１】第１実施形態のロック可能なロッカースイッチの概略断面図であり、回動部分は第１の回動位置にあり、ロック要素はロック位置にあり、かつ制御要素は休止位置にある。
【図２】図１のロック可能なロッカースイッチの図１と類似の図であり、回動部分は第１の回動位置にあり、ロック要素は解放位置にあり、かつ制御要素は制御位置にある。
【図３】図１のロック可能なロッカースイッチの図１と類似の図であり、回動部分は第２の回動位置にあり、ロック要素は解放位置にあり、かつ制御要素は制御位置にある。
【図４】図１のロック可能なロッカースイッチの図１と類似の図であり、回動部分は第２の回動位置にあり、ロック要素はロック位置にあり、かつ制御要素は休止位置にある。
【図５】図１のロック可能なロッカースイッチの、図１における矢印Ｖに沿った概略上面図であり、制御要素は休止位置にある。
【図６】図１のロック可能なロッカースイッチの図５と類似の図であり、制御要素は制御位置にある。
【図７】図１のロック可能なロッカースイッチに属する固定部分の、図１の平面に平行な平面で切り取った概略斜視図である。
【図８】図１のロック可能なロッカースイッチに属する回動部分及び制御要素の図７と類似の図である。
【図９】図１の配置における図１のロック可能なロッカースイッチの図７と類似の図である。
【図１０】図２の配置における図１のロック可能なロッカースイッチの図７と類似の図である。
【図１１】図３の配置における図１のロック可能なロッカースイッチの図７と類似の図である。
【図１２】図４の配置における図１のロック可能なロッカースイッチの図７と類似の図である。
【図１３】図７の平面ＸＩＩＩに沿った概略断面図である。
【図１４】第２実施形態のロック可能なロッカースイッチの図１と類似の概略断面図であり、回動部分は第１の回動位置にあり、ロック要素はロック位置にあり、かつ制御要素は休止位置にある。
【図１５】図１４のロック可能なロッカースイッチの図であり、回動部分は第１の回動位置にあり、ロック要素は解放位置にあり、かつ制御要素は制御位置にある。
【図１６】図１４のロック可能なロッカースイッチの図１４と類似の図であり、回動部分は第２の回動位置にあり、ロック要素は解放位置にあり、かつ制御要素は制御位置にある。
【図１７】図１４のロック可能なロッカースイッチの図１４と類似の図であり、回動部分は第２の回動位置にあり、ロック要素はロック位置にあり、かつ制御要素は休止位置にある。
【図１８】図１４のロック可能なロッカースイッチの、図１４における矢印ＸＶＩＩＩに沿った概略上面図であり、制御要素は休止位置にある。
【図１９】図１４のロック可能なロッカースイッチの図１８と類似の図であり、制御要素は制御位置にある。
【図２０】図１４のロック可能なロッカースイッチに属する固定部分の、図１の平面に平行な平面で切り取った図７と類似の概略斜視図である。
【図２１】図１４のロック可能なロッカースイッチに属する回動部分及び制御要素の図８と類似の図である。
【図２２】図１４の配置における図１４のロック可能なロッカースイッチの図９と類似の図である。
【図２３】図１５の配置における図１４のロック可能なロッカースイッチの図９と類似の図である。
【図２４】図１６の配置における図１４のロック可能なロッカースイッチの図９と類似の図である。
【図２５】図１７の配置における図１４のロック可能なロッカースイッチの図９と類似の図である。
【図２６】図２１の平面ＸＸＶＩに沿った概略断面図である。
【図２７】図１乃至図２６に表されているロック可能なロッカースイッチの回動部分の概略断面図である。
【図２８】図１乃至図２６のいずれに例示されているロック可能なロッカースイッチを含む本発明による電気回路の概略図である。
【図２９】図１乃至図２６のいずれかに例示されているロック可能なロッカースイッチに関するアンロック方法を示す概略流れ図である。
【図３０】図１乃至図２６のいずれかに例示されているロック可能なロッカースイッチに関するロック方法を示す概略流れ図である。
【発明を実施するための形態】
【００６７】
図１〜図１３は、固定部分２と回動部分６を含むロック可能なロッカースイッチ１を示している。固定部分２は回動の経路４を定めている。回動部分６は、（図５及び図６に見える）回動軸Ｘ６の回りで回動経路４に沿って回動するように配置されている。回動部分６は、第１の回動位置（図１、図２、図９及び図１０）と第２の回動位置（図３、図４、図１１及び図１２）の間で回動するように配置されている。
【００６８】
図３あるいは図８に見える様に、回動部分６は、回動軸Ｘ６の回りの半円柱形状とし得る、実質的に円柱状の部分６．４を含んでいる。回動部分６は、好ましくは、実質的に円柱状の部分６．４を切り取る、実質的に平坦な部分６．１を含んでいる。
【００６９】
図３、図４又は図７に見える様に、回動経路４は、円柱状部分６．４を回動自在に支持するのに適した実質的に凹状の円柱表面４．６を有している。この実質的に凹状の円柱表面４．６は、実質的に円柱状の部分６．４とほぼ同じ直径及び同じ幅を有している。
【００７０】
例えば、実質的に凹状の円柱表面４．６の直径Ｄ１は、好ましくは１５ｍｍから７０ｍｍの間、より好ましくは２５ｍｍから５０ｍｍの間であり、かつ実質的に円柱状の部分６．４の直径Ｄ２はＤ１から半径方向の可動隙間を減じたものにほぼ等しい。直径及び幅は、回動軸Ｘ６に垂直にかつ平行にそれぞれ測定される。
【００７１】
実質的に凹円柱状の表面４．６及び実質的に円柱状の部分６．４の対応する直径Ｄ１、Ｄ２のため、回動部分４は、回転経路４に沿ってピボット式あるいは揺動する運動の固定部２を中心に回転することができる。
【００７２】
ロック可能なロッカースイッチ１は、磁気的に作動可能であると共に、ロック位置（図１、図４、図９及び図１２）と解放位置（図２、図３、図１０及び図１１）との間で固定部分２に対して移動するように調整された、ロック要素８を更に含んでいる。
【００７３】
ロック位置（図１、図４、図９及び図１２）において、ロック要素８は、回動経路４を横切ると共に、固定部分２と回動部分４の両方に係合して回動部分６の回動を防止する。言い換えると、ロック位置において、ロック要素８は回動部分６から固定部分２へと部分的に突出する。
【００７４】
解放位置（図２、図３、図１０及び図１１）において、ロック要素８は回動経路４から少し離れた位置にあり、回動部分６は回動経路４内で回動することができる。より詳しくは、解放位置において、ロック要素８は回動部分６の内部に完全に収容されて回動経路４から少し離れた位置にある。
【００７５】
図１〜図１３の実施形態に表されているように、ロック要素８を収容するために、固定部分２は、回動経路４と連通する少なくとも２つの開口１２及び１４を定めることができる。開口１２は第１の回動位置（図１、図２、図９及び図１０）に対応し、その一方で開口１４は第２の回動位置（図３、図４、図１１及び図１２）に対応する。
【００７６】
回動部分６は、完全に解放位置（図２、３、１０及び１１）のロック要素８に適応するように設計された開口３０を有する。特に、回動部分６のこの開口３０の深さは、ロック要素８の高さよりわずかに大きい。
【００７７】
更に、ロック可能なロッカースイッチ１は、回動部分６に取り付けられると共に、制御位置（図２、図３、図６、図１０及び図１１）と休止位置（図１、図４、図５、図９及び図１２）との間で回動部分６に対して移動可能な、制御要素１０を含んでいる。
【００７８】
制御位置（図２、図３、図６、図１０及び図１１）において、制御要素１０は、ロック要素８をその解放位置（図２、図３、図１０及び図１１）に付勢する磁気作用Ｆ１０を生じる。休止位置（図１、図４、図５、図９及び図１２）において、制御要素１０は磁気作用Ｆ１０が生じないようにする。ロック可能なロッカースイッチ１の通常動作時には、制御位置（図２、図３、図６、図１０及び図１１）はロック要素８の解放位置に対応し、その一方で休止位置（図１、図４、図５、図９及び図１２）はロック要素８のロック位置に対応する。
【００７９】
このため、制御要素１０は、休止位置において、制御要素１０が磁気作用Ｆ１０を及ぼすにはロック要素８から離れ過ぎており、従ってロック要素８をそのロック位置（図１、図４、図９及び図１２）に残すように、設計することができる。特に、制御要素１０とロック要素８の材料は、制御位置（図２、図３、図１０及び図１１）においてのみ作用する磁気作用Ｆ１０を得るべく選択することができる。
【００８０】
制御要素１０は、制御位置（図２、図３、図６、図１０及び図１１）と休止位置（図１、図４、図５、図９及び図１２）との間で、手動により移動可能であるよう設計されている。制御要素１０は、ユーザの手によって操作しやすいボタンを形成するように設計することができる。
【００８１】
図１〜図１３の実施例において表したように、制御要素１０は、回動部分６の実質的に平坦な部分６．１上へ、平行移動において移動可能である。制御要素１０は、ここでは回動軸Ｘ６に直交する直線平行移動軸Ｙ１０（図２、図３、図１１、図１２に見られる）に沿って移動可能である。
【００８２】
ロック可能なロッカースイッチ１は、制御要素１０を休止位置（図１、図４、図５、図９及び図１２）に向けて弾力的に付勢するように調整された、少なくとも一つのばね１６を更に含んでいる。このため、ばね１６は、より歪むように、すなわち圧縮ばねの場合には、制御位置（図２、図３、図６、図１０及び図１１）においては休止位置（図１、図４、図５、図９及び図１２）におけるよりも圧縮されるように、配置することができる。ばね１６は、ここでは圧縮コイルばねである。図５及び図６の実施例において、制御要素１０は中空キャビティを定めており、かつばね１６はこの中空キャビティの軸Ｙ１０に沿って位置している。ばね１６の一方の軸方向端部は制御要素１０の内壁に取り付けられており、他方の軸方向端部は平坦部分６．１の取付点１７を介して回動部分６に取り付けられている。
【００８３】
ロック可能なロッカースイッチ１は、ロック要素８をロック位置（図１、図４、図９及び図１２）に動かすのに適した弾力作用Ｆ２２（図１、図４及び図１０）を及ぼすように設計された、弾力的な付勢要素２２を更に含んでいる。弾力的な作用Ｆ２２は、制御位置において作用する磁気作用Ｆ１０より弱い。従って、弾力的な作用Ｆ２２は、ロック要素８が解放位置に動くことを防止できない。
【００８４】
ロック要素８は、例えば実質的に円柱形状のロックピンによって形成されている。ロックピン８を完全に収容することができる回動部分６の開口３０は、開口３０の内部へのロックピンの滑り動きを許可するために、ロックピンの直径よりわずかに大きい直径の実質的に円柱状の対応する形状を有している。ロック要素８は、ロック軸Ｚ８に沿って平行移動すると共に、回動経路４を横切るように配置されている。ロック軸Ｚ８は、回動軸Ｘ６に対して垂直である。ロック軸Ｚ８はまた、ここでは直線方向に平行移動する軸Ｙ１０に対して垂直である。
【００８５】
制御要素１０は好ましくは永久磁石から成る磁気制御部分を含んでおり、かつロック要素８は永久磁石によって磁気的に引き付けることができる金属材料を含んでいて、制御要素１０は制御位置（図２、図３、図１０及び図１１）においてロック要素８上に磁気作用Ｆ１０を及ぼす。
【００８６】
図７及び図１３に見える様に、ロック要素８の開口１２あるいは１４の内部への移動を案内するために、実質的に凹状の円柱表面４．６は２つの案内斜面１９．１及び１９．２を定めている。案内斜面１９．１及び１９．２は、図７及び図８〜図１２までには見えているが、それらは概略的な図１〜図４には示されていない。案内斜面１９．１は開口１２のそばに配置され、かつ案内斜面１９．２は開口１４のそばに配置されている。案内斜面１９．１及び１９．２は、それらの開口１２あるいは１４の各々に向かって次第に増加する角度を有している。
【００８７】
図１４〜図２６は、第２実施形態のロック可能なロッカースイッチ１０１を図示している。図１〜図１３を参照して上述したロック可能なロッカースイッチ１の説明は、以下に述べる顕著な相違を除いて、ロック可能なロッカースイッチ１０１に移し換えることができる。
【００８８】
ロック可能なロッカースイッチ１０１の要素のうち、ロック可能なロッカースイッチ１の要素のそれに類似しあるいは対応する構造あるいは機能を有するものには、同じ参照符号に１００を加算して割り当てられている。従って、固定部分１０２、回動部分１０６、回動経路１０４、回動軸Ｘ１０６、ロック軸Ｚ１０８を有するロック要素１０８、起動して磁気作用Ｆ１１０を生じさせるのに適した直線平行移動軸Ｙ１１０を有する制御要素１０、回動部分１０６上の実質的に円柱状の部分１０６．１０４と実質的に平坦な部分１０６．１１０、固定部分１０２上の実質的に凹状の円柱表面１０４．１０６、御要素１１０を休止位置に向けて弾力的に付勢するばね１１６、制御要素１０が休止位置（図１４、図１７、図１８、図２２、図２５）にあるときにロック要素１０８をロック位置に向けて移動させるべく弾力的な作用を及ぼすように設計された弾力的な付勢要素１２２を定めることができる。
【００８９】
図１５、図１６、図２３及び図２４は、ロック要素１０８の解放位置と制御要素１１０の制御位置を図示している。図１４、図１７、図２２及び図２５は、ロック要素１０８のロック位置と制御要素１１０の休止位置を図示している。
【００９０】
ロック可能なロッカースイッチ１０１はロック可能なロッカースイッチ１と異なる。その理由は、第１実施形態において、その解放位置（図２、３、１０及び１１）のロック要素８が回動部分６において完全に収容されるのに対して、その解放位置（図１５、１６、２３及び２４）のロック要素１０８は固定部分１０２のキャビティ１３０において完全に収容されることにある。
【００９１】
これとは反対に、ロック可能なロッカースイッチ１０１は、ロック可能なロッカースイッチ１とは異なっている。ロック要素１０８は、そのロック位置（図１４、図１７、図２２及び図２５）において固定部分１０２から部分的に突出して回動部分１０６に入るが、第１実施形態におけるロック要素８は、ロック位置（図１、図４、図９及び図１２）において回動部分６から部分的に突出して固定部分２に入るからである。
【００９２】
同様に、ロック可能なロッカースイッチ１０１はロック可能なロッカースイッチ１と異なる。その理由は、回動部分１０６は回動経路１０４に連通する少なくとも２つのキャビティ１１２及び１１４を定めるが、固定部分２は回動経路４に連通する少なくとも２つの開口１２及び１４を定めることにある。ロック可能なロッカースイッチ１０１においては、キャビティ１１２が第１回動位置（図１４、図１５、図２２及び図２３）に対応し、かつキャビティ１１４が第２回動位置（図１６、図１７、図２４及び図２５）に対応する。
【００９３】
これとは反対に、ロック可能なロッカースイッチ１０１は、ロック可能なロッカースイッチ１とは異なっている。ロック要素１０８はその解放位置（図１５、図１６、図２３及び図２４）において固定部分１０２の内部に完全に収容され、かつロック要素１０８はそのロック位置（図１４、図１７、図２２及び図２５）において固定部分１０２から部分的に突出して一つのキャビティ１２あるいは１１４に入るが、ロック要素８はロック位置（図１、図４、図９及び図１２）において回動部分６から部分的に突出して開口１２あるいは１４に入るからである。
【００９４】
また、ロック可能なロッカースイッチ１０１は、ロック可能なロッカースイッチ１とは異なっている。図２１及び図２６に見える様に、実質的に円柱状の部分部１０４．１０６が、キャビティ１１２及び１１４のそばにそれぞれ配置されると共に、それらの各キャビティ１１２あるいは１１４に向けて次第に増加する角度をそれぞれ有している、２つの案内斜面２１９．１及び２１９．２を定めているからである。案内斜面２１９．１及び２１９．２は図２１〜図２５に見えるが、それらは概略的な図１４〜図１７には図示されていない。
【００９５】
更に、ロック可能なロッカースイッチ１０１はロック可能なロッカースイッチ１と異なっている。ロック可能なロッカースイッチ１０１は、電磁ソレノイド１２４が電気的に励起されたときに、ロック要素１０８に磁気作用Ｆ１１０を及ぼすべく調整された電磁ソレノイド１２４を含んでいるからである。電磁ソレノイド１２４が及ぼす磁気作用は、弾力的な付勢要素１２２が及ぼす作用よりも強い。弾力的な付勢要素１２２及び電磁ソレノイド１２４は、明瞭さのために、図２０〜図２５にではなく図１４〜図１７に表されている。
【００９６】
ロック可能なロッカースイッチ１０１は、電磁ソレノイド１２４に接続された制御回路１２６を含んでいる。制御回路１２６は回動部分１０６の内部に延在し、制御要素１１０が制御位置にあるときに、制御要素１１０と協働して電磁ソレノイド１２４を電気的に励起させるようになっている。制御要素が制御位置にあるときに、制御要素１１０は、制御回路１２６が電磁ソレノイド１２４を励起できるようにしている。制御位置にある制御要素１１０は起動し、従って弾力的な付勢要素１２２による反対方向の作用に抵抗してロック要素を解放位置に付勢する磁気作用を生じさせる。
【００９７】
電磁ソレノイド１２４は、固定部分２に収容されている。図１４〜図１７に見える様に、制御回路１２６は、回動経路１０４の上にかつ固定部分１０２に内部に延在して、電磁ソレノイド１２４と電気的に接触している。また、電磁ソレノイド１２４は、ここでは、例えば鉄あるいは軟鋼といった鉄系の軟磁性材料である強磁性体から成る磁性材料を含むコアを含んでいる。
【００９８】
制御要素１１０は、制御位置（図１５、図１６、図１９、図２３及び図２４）にあるときに、制御回路１２６を閉じるように設計されている。回動部分１０６は、制御要素１１０が制御位置（図１９）にあるときに制御回路１２６を起動させるように調整された、例えばマイクロスイッチ１２８を含むことができる。変形例（表されていない）において、制御要素１１０は、制御要素１１０の上に調整された金属部品から成る電気スイッチを形成し、制御位置において、制御回路１２６がその金属部品によって閉じられるようにする。
【００９９】
図２７に見える様に、第１及び第２実施形態のロック可能なロッカースイッチ１、１０１は、第１の回動位置（図１、２、９、１０、１４、１５、２２及び２３）に向けて回動部分６，１０６を弾力的に付勢するように調整されたロッカーばね１２０を更に含むことができる。言い換えると、ユーザが回動部分６、１０６を解放するときに、ロッカーばね１２０は回動部分第１の回動位置に自動的に戻す。そのようなロッカーばねが無いと、第１の回動位置に戻すために、ユーザは回動部分６、１０６を押さなければならない。
【０１００】
図２８は、自動車の少なくとも一つの電気要素５１に電力を供給する電気回路５０を図示している。電気回路５０は、ロック可能なロッカースイッチ１を含んでいる。ロック可能なロッカースイッチ１は、回動部分６が第１の回動位置において電気回路５０への電力供給を起動させると共に、回動部分６が第２の回動位置において電気回路５０への電力供給の起動を停止させるように調整されている。代わりに、電気回路５０は、ロック可能なロッカースイッチ１に代えてロック可能なロッカースイッチ１０１を含むことができる。他の代替案において、回動部分６、１０６は第２の回動位置において電気回路５０への電力供給を起動させると共に、回動部分６、１０６は第１の回動位置において電気回路５０への電力供給の起動を停止させる。ロック可能なロッカースイッチ１あるいは１０１は、例えばイグニションのロックとしてあるいはＡＤＲスイッチのロックとして用いることができる。
【０１０１】
図２９に図示されるように、作動の際に、ロック可能なロッカースイッチ１あるいは１０１をアンロックするためのアンロック方法は、
−５０１）制御要素１０あるいは１１０を、休止位置（図１、図４、図９、図１２、図１４、図１７、図１８、図２１、図２２、図２５）から制御位置（図２、図３、図１０、図１１、図１５、図１６、図１９、図２３及び図２４）へと手動で移動させる段階、
−５０２）ロック要素８あるいは１０８を、固定部分２あるいは１０２に対し、そのロック位置からその解放位置へと、ばね２２、１２２の付勢力に抗して移動させるべく磁気的に起動させる（Ｆ１０、Ｆ１１０）段階；
−５０３）回動部分６あるいは１０６を、第１の回動位置（図３、図４、図９、図１０、図１６、図１７、図２４及び図２５）と第２の回動位置（図１、図２、図１１、図１２、図１４、図１５、図２２、図２３）の間で、回動経路４あるいは１０４に沿って回動軸Ｘ６、Ｘ１０６の回りに回動させる段階、
を含む。
【０１０２】
図３０に図示されるように、作動の際に、ロック可能なロッカースイッチ１あるいは１０１をロックするロック方法は、
−６０１）制御要素１０、１１０を制御位置から休止位置に移動させる段階；
−６０２）ロック要素８、１０８が少なくとも一つのロック位置に戻るようにする段階、
を含む。
【０１０３】
段階６０１）において、制御要素１０、１１０は、手動作用により、あるいはばねが設けられているときにはばね１６あるいは１１６が生じさせる付勢力により制御位置から休止位置に移動することができる。
【符号の説明】
【０１０４】
１        ロッカースイッチ
２        固定部分
４        回動経路
６        回動部分
８        ロック要素
１０      制御要素
１２      開口／キャビティ
１４      開口／キャビティ
１６      ばね
１７      取付点
２２      付勢要素
３０      開口
５０      電気回路
５１      電気要素
１０１    ロッカースイッチ
１０２    固定部分
１０４    回動経路
１０６    回動部分
１０８    ロック要素
１１０    制御要素
１１２    キャビティ
１１４    キャビティ
１１６    ばね
１２０    ロッカーばね
１２２    付勢要素
１２４    電磁ソレノイド
１２６    制御回路
１２８    マイクロスイッチ
１３０    キャビティ
Ｆ１０    磁気作用
Ｆ１１０  磁気作用
Ｘ６      回動軸
Ｘ１０６  回動軸
Ｙ１０    直線平行移動軸
Ｙ１１０  直線平行移動軸
Ｚ８      ロック軸
Ｚ１０８  ロック軸
【図１】
2016538701.tif 000003
【図２】
2016538701.tif 000004
【図３】
2016538701.tif 000005
【図４】
2016538701.tif 000006
【図５】
2016538701.tif 000007
【図６】
2016538701.tif 000008
【図７】
2016538701.tif 000009
【図８】
2016538701.tif 000010
【図９】
2016538701.tif 000011
【図１０】
2016538701.tif 000012
【図１１】
2016538701.tif 000013
【図１２】
2016538701.tif 000014
【図１３】
2016538701.tif 000015
【図１４】
2016538701.tif 000016
【図１５】
2016538701.tif 000017
【図１６】
2016538701.tif 000018
【図１７】
2016538701.tif 000019
【図１８】
2016538701.tif 000020
【図１９】
2016538701.tif 000021
【図２０】
2016538701.tif 000022
【図２１】
2016538701.tif 000023
【図２２】
2016538701.tif 000024
【図２３】
2016538701.tif 000025
【図２４】
2016538701.tif 000026
【図２５】
2016538701.tif 000027
【図２６】
2016538701.tif 000028
【図２７】
2016538701.tif 000029
【図２８】
2016538701.tif 000030
【図２９】
2016538701.tif 000031
【図３０】
2016538701.tif 000032
【国際調査報告】
2016538701.tif 000033
2016538701.tif 000034